(57)【要約】【課題】被梱包物の質量バランスが取れていなくても、梱包された状態では質量バランスが取れた状態にすることができ、輸送時の振動に対して転倒することがなく、また、バランサの内容物を除去でき、さらに梱包箱の回収も容易にできる物品梱包箱を提供することにある。【解決手段】１０ｋｇ以上の重量を有する物品を梱包するための物品梱包箱Ａにおいて、梱包箱本体部４０と、水、砂等を収納可能な防水性の容器５５ａ〜５５ｄと、前記物品梱包箱の底部に前記防水性の容器５５ａ〜５５ｄを個別に収容する複数の収容空間を画定する仕切り部材５７とを備え、この仕切り部材５７を、前記物品５１が前記防水性の容器５５ａ〜５５ｄの上部に位置され、両者を離隔した状態に保持できるように配置する。【選択図】      図１
2004315062.tif 000002
【特許請求の範囲】
【請求項１】
１０ｋｇ以上の重量を有する物品を梱包するための物品梱包箱において、梱包箱本体部と、水、砂等を収納可能な防水性の容器と、前記物品梱包箱の底部に前記防水性の容器を個別に収容する複数の収容空間を画定する仕切り部材とを備え、この仕切り部材を、前記物品が前記防水性の容器の上部に位置され、両者を離隔した状態に保持できるように配置することを特徴とする物品梱包箱。
【請求項２】
前記防水性の容器が紙パックであることを特徴とする請求項１記載の物品梱包箱。
【請求項３】
前記防水性の容器が樹脂製の容器であることを特徴とする請求項１記載の物品梱包箱。
【請求項４】
前記防水性の容器が内部の水または砂を取り出すための蓋を有することを特徴とする請求項１記載の物品梱包箱。
【請求項５】
前記物品梱包箱が前記蓋に相当する位置にミシン目を有し、前記物品梱包箱外部から前記蓋に直接触ることが可能であることを特徴とする請求項４記載の物品梱包箱。
【請求項６】
前記仕切り部材が、木材、樹脂あるいは段ボ−ル等に防水処理が施されている材質で作製されていることを特徴とする請求項１ないし５のいずれか１項記載の物品梱包箱。
【請求項７】
前記防水性の容器に相当する部分に水、砂抜き用の穴を１個以上有することを特徴とする請求項１ないし６記載の物品梱包箱。
【請求項８】
前記部分にミシン目等の切り欠きを有し、前記ミシン目を切り取ることにより、前記防水性の容器を前記物品梱包箱外部に取り出せるようにしたことを特徴とする請求項１ないし７のいずれか１項記載の物品梱包箱。
【発明の詳細な説明】
【０００１】
【発明の属する技術分野】
本発明は、１０ｋｇ以上の重量を有する種々の電気・電化製品の物流、保管に供する梱包箱に関するものである。
【０００２】
【従来の技術】
既存のリサイクルシステムに対して容易にかつ効率よく適用することができ、保管スペ−スも不要にすることができる梱包箱が提案されており（例えば、特許文献１参照）、また、冷蔵庫に関する梱包箱が提案されており（例えば、特許文献２参照）、さらに、緩衝バッグを用いることも提案されている（例えば、特許文献３参照）。
通常、製品の物流および保管のために梱包箱が使用されるが、製品の大きさやその特性に応じて専用の梱包箱を使用する場合が多い。とくに、梱包箱の外表面を段ボ−ルで形成し、外表面と製品との間にクッション部材（発泡スチロ−ル、パルプモ−ルド製など）を配する構成が多く採用されている。
図７は従来の梱包箱の箱状部材の１例を示す斜視図である。図８は梱包箱の箱状部材内部の梱包箱構成部品を示す斜視図である。梱包箱は、図７および図８に示すように、主要構成部品としての、外表面を形成する箱状部材１、左右のクッション部材２ａ、２ｂ、補助クッション部材３（仕切部材としても兼用）とからなっている。
ここで、箱状部材１と補助クッション部材２ａ、２ｂはパルプモ−ルド製である。左右のクッション部材２ａ、２ｂの内側面には、被梱包物品であるプリンタ４の左右端部を抱え込むように、その内側にあるプリンタ４の外形に沿った凹部が形成されている。
図９は図８の梱包用部材と被梱包物品を収容してテープ等で固定する状態の梱包箱の外観を示す斜視図である。図１０は図７の箱状部材１の展開図である。箱状部材１は、図１０に示すように、大きなシ−ト状の段ボ−ルからなる。
その端部１ａを対向する端部１ｂへ接着して周状（囲い形状）に形成し、これに直交する残部１ｃ、１ｄを折り畳み、内部に図８に示す構成部材（被梱包物品である製品を含む）を収納し、テ−プ等で固定することによって、図９に示すような外観の梱包箱を構成するものである。
前記箱状部材１、クッション部材２ａ、２ｂおよび補助クッション材３等からなる梱包箱Ａは、製品を購入した顧客が製品を移動するときやサ−ビスを受けるさいに搬入するときに使用する目的で保管されたり、あるいは梱包箱Ａが大きくてその保管スペ−スが確保されない等の理由で廃棄されることもある。
【０００３】
近年、エコロジ−の観点から、いわゆるリサイクルに対する関心が社会的に高まっており、とくに“紙”材料からなる製品や部品についてはそのリサイクルシステムが最も整備されている。
梱包箱を適当な大きさに簡単に分断することを可能にすることで、製品の購入者が紙製の梱包箱をリサイクルシステムへ適用して再利用するに際して、既存のリサイクルシステムに対しても容易にかつ効率よく適用することができ、保管スペ−スも不要にすることができる梱包箱が特許文献１で提案されている。
図１１は特許文献１に記載された梱包箱を示す斜視図である。図１２は、箱状部材の内部に収納される梱包箱の構成部材および被梱包物品である製品を示す分解斜視図である。
特許文献１によれば、図１１に示すように、梱包箱Ａの外表面を形成する段ボ−ル製の箱状部材１またはその内部にある補助クッション部材３の各面および各稜線に、箱状部材１をシ−ト状の片部材へ分断するためのミシン目９や切り欠き１０等からなる分断手段を設けている。
図１３は冷蔵庫用の梱包箱の底部を示す概略斜視図である。図１４は図１３の梱包箱の梱包箱本体部を示す概略斜視図である。また、冷蔵庫の梱包箱に関して特許文献２のような提案がなされている。
図１３および図１４には、底部ダンボ−ル１１、スペ−サ１２、切り欠き部１３、折り線１４、立ち上げ部１５、底蓋部１６、突出部１７からなる底部が、そして梱包箱本体部４０、側面４１〜４４、天井面４５からなる梱包箱本体部が示してある。
それによれば、筒状の梱包箱本体部４０と、スペ−サ１２を有する底蓋部１６とを具備し、スペ−サ１２に孔を、底蓋部１６に突出部１７をそれぞれ形成し、孔に突出部１７を挿入することによりスペ−サ１２を底蓋部１６に支持したことを特徴としている。
図１５は緩衝バッグを備えた従来の梱包箱の例を示す断面図である。図１６は図１５の緩衝バッグが膨張した状態を示す断面図である。図１５および図１６のごとく示された特許文献３によれば、開口部２２を有する袋状の収容部２１が、少なくとも２個、連結帯２３で連結されている。
梱包箱２６内には被包装物２５、底部緩衝材２７が配置されている。各収容部２１内には、空気を注入・排出可能なエアバッグ２４が挿入されている。また、各収容部には、充填量を調整可能なバラ緩衝材が充填されている技術も提案されている。
【特許文献１】特開２０００−２０３５５８公報
【特許文献２】実開平５−８２８１５号公報
【特許文献３】特開平９−９９９７９号公報
【０００４】
【発明が解決しようとする課題】
しかしながら、従来のミシン目、切り欠きを有する梱包箱は、リサイクルのために箱状部材をシ−ト状の片部材へ分断し、解体することへの容易さを最終目的としていた。
そのため、多くのミシン目、切り欠きを有していて、質量の大きい製品を梱包した場合、ミシン目、切り欠きの位置から破れる可能性があり、質量の大きな製品の梱包には不向きである。
また、上述した冷蔵庫用の梱包箱は、底蓋部に補強のための突出部を有しているが、物を保持する構成にはなっていない。冷蔵庫のような大きな重量の製品の梱包箱としては有効であるが、冷蔵庫のように高さがあり、かつ製品後方にモ−タ等の質量のある部品が集中していて後方に重心が偏っている場合、運搬時に振動等で不安定になり転倒する可能性がある。
また、空気を注入・排出可能なエアバッグが挿入されている緩衝バッグが提案されているが、製品の緩衝材としては有効であるが、製品のバランサとしての効果はない。
そこで本発明の目的は、上記の問題点を解決するために、被梱包物の質量バランスが取れていなくても、梱包された状態では質量バランスが取れた状態にすることができ、輸送時の振動に対して転倒することがなく、また、バランサの内容物を除去でき、さらに梱包箱の回収も容易にできる物品梱包箱を提供することにある。
【０００５】
【課題を解決するための手段】
前記の課題を解決するために、請求項１記載の発明では、１０ｋｇ以上の重量を有する物品を梱包するための物品梱包箱において、梱包箱本体部と、水、砂等を収納可能な防水性の容器と、前記物品梱包箱の底部に前記防水性の容器を個別に収容する複数の収容空間を画定する仕切り部材とを備え、この仕切り部材を、前記物品が前記防水性の容器の上部に位置され、両者を離隔した状態に保持できるように配置する物品梱包箱を最も主要な特徴とする。
請求項２記載の発明では、前記防水性の容器が紙パックである請求項１記載の物品梱包箱を主要な特徴とする。
請求項３記載の発明では、前記防水性の容器が樹脂製の容器である請求項１記載の物品梱包箱を主要な特徴とする。
請求項４記載の発明では、前記防水性の容器が内部の水または砂を取り出すための蓋を有する請求項１記載の物品梱包箱を主要な特徴とする。
請求項５記載の発明では、前記物品梱包箱が前記蓋に相当する位置にミシン目を有し、前記物品梱包箱外部から前記蓋に直接触ることが可能である請求項４記載の物品梱包箱を主要な特徴とする。
請求項６記載の発明では、前記仕切り部材が、木材、樹脂あるいは段ボ−ル等に防水処理が施されている材質で作製されている請求項１ないし５のいずれか１項記載の物品梱包箱を主要な特徴とする。
請求項７記載の発明では、前記防水性の容器に相当する部分に水、砂抜き用の穴を１個以上有する請求項１ないし６記載の物品梱包箱を主要な特徴とする。
請求項８記載の発明では、前記部分にミシン目等の切り欠きを有し、前記ミシン目を切り取ることにより、前記防水性の容器を前記物品梱包箱外部に取り出せるようにした請求項１ないし７のいずれか１項記載の物品梱包箱を主要な特徴とする。
【０００６】
【発明の実施の形態】
以下、図面により本発明の実施の形態を詳細に説明する。図１は本発明による物品梱包箱の第１の実施の形態を示す概略斜視図である。図において物品梱包箱Ａは被梱包物品である冷蔵庫本体５１を梱包する箱体であり、天面部緩衝材５０ａ〜５０ｄ、底部緩衝材２７ａ〜２７ｃを含んでいる。冷蔵庫本体５１は上ドア５２、中ドア５３、下ドア５４からなっている。
本発明において、物品梱包箱Ａは、被梱包物品である冷蔵庫（製品）本体５等の物品を梱包するのに使用する梱包箱本体部４０、天面部緩衝材５０ａ〜５０ｄ、１、底部緩衝材２７ａ〜２７ｃを主要な構成部材として含んでいる。
梱包箱本体部４０は防水性の容器５５ａ〜５５ｄ（図１には５５ａ、５５ｂのみが示されている）、容器収納部材５６ａ〜５６ｄ、仕切り板５７、キャップ５８ａ〜５８ｄ（図１には５５ａ、５５ｂのみが示されている）を含んでいる。
図１において、梱包箱本体部４０の下方には容器５５ａ〜５５ｄを収納できるように容器収納部材５６ａ〜５６ｄを設けておく。図１では４箇所の容器収納部５６ａ〜５６ｄを設けているが、もっと数を多くしても問題ない。容器収納部材５６ａ〜５６ｄは、仕切り板５７と同じ材質でも良いし異なっても良い。
容器収納部材５６ａ〜５６ｄおよび仕切り板５７を同じ材質とした場合、容器収納部材５６ａ〜５６ｄと仕切り板５７を一体で作ることもできる。異なる材質や容器収納部５６ａ〜５６ｄと仕切り板５７が別体である場合、梱包箱本体部４０が傾いても梱包箱本体部４０と仕切り板５７、仕切り板５７と容器収納部材５６ａ〜５６ｄが分離しないような接合にしておく。
また、被梱包物品である製品（この場合は冷蔵庫）の質量が容器収納部材５６ａ〜５６ｄにかかるので、重さに耐えられるように設計する。
防水性の容器５５ａ〜５５ｄの材質は紙パックや樹脂などで製作するが、容器５５ａ〜５５ｄに液体を入れても漏れないような材質を選択する。容器５５ａ〜５５ｄの先端にはキャップ（蓋、或いは弁）５８ａ〜５８ｄを設けておき、キャップ５８ａ〜５８ｄを外すことで内部の水、砂等を防水性の容器５５ａ〜５５ｄ外部に取り出すことが可能である。
当然のことながら、防水性の容器５５ａ〜５５ｄは冷蔵庫５１とのバランス調整のために用いるので、冷蔵庫５１の質量バランスが取れていれば必要ないし、常に入れておく必要はない。また、防水性の容器５５ａ〜５５ｄにはバランスに応じた量の水、砂等を入れ、バランスに応じた個数の容器を用いる。
防水性の容器５５ａ〜５５ｄは、矢印に示す方向から、容器収納部材５６ａ〜５６ｄの開口内に挿入する。容器収納部材５６ａ〜５６ｄは、防水性の容器５５ａ〜５５ｄよりも少し大きめで、挿入口にテ−パを設けることで防水性の容器５５ａ〜５５ｄが入れ易くなる。
また、図示しないが容器収納部材５６ａ〜５６ｄに突起を設け、防水性の容器５５ａ〜５５ｄに相当する位置を凹ませ嵌合する寸法にしておけば、防水性の容器５５ａ〜５５ｄの脱落防止として使うことができる。
冷蔵庫５１の上下四隅に、底部緩衝材２７ａ〜２７ｄ、天面部緩衝材５０ａ〜５０ｄをセットする。セット状態で梱包箱本体部４０の上方を開口させた状態でその開口から内部に冷蔵庫５１を入れる。
【０００７】
図２は本発明による物品梱包箱の第２の実施の形態を示す概略斜視図である。図３は防水性の容器のキャップに相当する位置に設けた開口部を示す概略図である。図４は梱包箱本体部とともに防水性の容器のキャップを外した状態を示す概略斜視図である。
図２ないし図４において、図１と異なるのは、仕切り板６２〜６７と防水性の容器５５ａ〜５５ｄを梱包箱本体部４０の上方から挿入する点である。防水性の容器５５ａ〜５５ｄは、仕切り板６２〜６７によって容器収納部６１ａ〜６１ｄに分割されており、個々の防水性の容器５５ａ〜５５ｄが接触しないようになっている。
容器収納部６１ａ〜６１ｄの大きさは、防水性の容器５５ａ〜５５ｄをセットしたときに固定されるか、やや大きめに設定する。冷蔵庫５１の質量が仕切り板６２〜６７にかかるので、破損しないような厚さ、強度に設定する。
仕切り板６２〜６７の材質は、防水性の容器５５ａ〜５５ｄに水を入れたり、高湿度状態に放置されることも考慮して、木材、樹脂あるいは段ボ−ル等に防水処理が施されている材質で作製する。
梱包箱本体部４０の側面には蓋５９ａ〜５９ｄになるようミシン目６８を設ける。ミシン目６８の替わりに切れ目等でも良い。ミシン目６８の設定位置は、防水性の容器５５ａ〜５５ｄがセットされている位置で、ミシン目６８を切り取ることにより蓋５９ａ〜５９ｄになり、そこから防水性の容器５５ａ〜５５ｄが触れ、取り出せるようにしておく。
また、図３および図４に示すように、防水性の容器５５ａ〜５５ｄのキャップ５８ａ〜５８ｄに相当する位置に開口部７１ａ〜７１ｄを設ける。こうすることで、キャップ５８ａ〜５８ｄに直接触れることが可能で、キャップ５８ａ〜５８ｄを外すことで防水性の容器５５ａ〜５５ｄ内部の水、砂等を取り出すことができる。
【０００８】
図５は図４の梱包箱本体部を示すＡ矢視図である。防水性の容器５５ａ〜５５ｄに相当する底面の位置に穴部８１ａ〜８１ｄを設ける。ここでは各容器位置に対して２個ずつ穴部を設けているが、水、砂等が梱包箱本体部４０にこぼれた場合、この穴部８１ａ〜８１ｄから排出できれば、１個以上あれば良く、また大きさの大小は問題ない。
図６は図４の梱包箱本体部をＢ−Ｂ面で切断したＣ矢視断面図である。図６において本発明全般を説明する。被梱包物品である冷蔵庫５１は、一般に冷却パイプ等９２、モ−タ９３が製品後方に位置している。
筐体９１、上ドア５２、中ドア５３、下ドア５４は板金等の金属で成形されているが、冷蔵庫５１内部に空間が多いこともあり、どうしてもモ−タ９２等が存在する製品後方に重心がくることが多い。家庭で使用するさいは内部に瓶、野菜、肉等が収納されてバランスが良くなるが、搬送時は不安定になる。
そのため、容器収納部５６ａ、５６ｂに水、砂等を入れた容器５５ａ、５５ｂを入れてバランスをとる。こうすることで、梱包箱本体部４０でのバランスが良くなり、転倒等の不具合が起こらなくなる。
ここでは冷蔵庫の梱包箱で説明したが、例えば複写機のような製品についても奥側が重くなる傾向があり、ここで提案した発明が使用可能である。複写機等の複合機においては、ユ−ザの利便性も考慮して胴内排紙をする機械も増えている。
この機械は、中央部が空洞で、紙を収納する給紙部も運搬時は空の状態である。機械全体の軽量化ということで樹脂部品が多用されているが、モ−タを有する製品後方との質量アンバランスが顕著になっている。
製品をオフィスにセットするさいは、紙の質量で緩和され、また転倒防止用の支持棒等で転倒しないような構成になっている。機械を梱包した状態では不安定で、車等での運搬時は梱包箱を紐で厳重に固定する必要があったが、本発明でそれが軽減できる。
本発明は、１０ｋｇ以上の重量を有する物品を梱包するための梱包箱において、水、砂等を収納可能な防水性の容器、例えば、紙パックまたは樹脂製の容器と、梱包箱の内部に前記防水性の容器を個別に収容する複数の収容空間を画定する仕切り部材と備えている。
被梱包物品は前記防水性の容器の上部に位置して、両者を離隔した状態に保持できるように仕切り部材を有することによって、梱包される製品の質量バランスが取れていなくても、梱包された状態では質量バランスが取れた状態にすることができるので、輸送時の振動に対して転倒することがなくなる。
また、バランサとして用いるものが水、砂等であり、収納している防水性の容器にも触れたり、取り出したりできるので、品物を搬送した後は容器内部の水、砂等を抜くことができ、梱包箱の回収も容易にできる。
【０００９】
【発明の効果】
以上説明したように、請求項１によれば、製品の質量バランスが悪くても、水、砂等を収納可能な紙パックまたは樹脂製の容器で質量バランスを調整でき、運搬時に転倒の心配がなくなる。
請求項２および３によれば、紙パックまたは樹脂製の容器内の水または砂の不測の漏洩を防止することができる。
請求項４によれば、紙パックまたは樹脂製の容器は内部の水または砂を取り出すための蓋または弁を有する構成にしているので、製品のバランス差に応じて容器の中の容量を変えることができ、様々な製品で適用可能である。
請求項５によれば、物品梱包箱は蓋または弁に相当する位置に穴またはミシン目を有し、物品梱包箱外部から弁または蓋に直接触ることが可能であるように構成しているので、製品を搬送し終わった後、容器の中身が排出可能で、軽量化できるため回収が容易になる。
請求項６によれば、仕切り部材は、木材、樹脂あるいは段ボ−ル等に防水処理が施されている材質で作製されているので、例えば水の排出時に段ボ−ル等に水がかかって破れたり、ふやけたりしなくなり、再利用可能である。
請求項７によれば、物品梱包箱は防水性の容器に相当する部分に水、砂抜き用の穴を１個以上有する構成にしているので、容器収納部に容器の内容物がこぼれても、容易に物品梱包箱外部に排出可能である。
請求項８によれば、物品梱包箱は防水性の容器に相当する部分にミシン目等の切り欠きを有し、前記ミシン目を切り取ることにより、前記防水性の容器を前記物品梱包箱外部に取り出せるような構成にしているので、容器内容量の変更も簡単であり、製品搬送後の梱包箱の回収が容易になり、また、容器だけをリサイクルすることも可能である。
【図面の簡単な説明】
【図１】本発明による物品梱包箱の第１の実施の形態を示す概略斜視図である。
【図２】本発明による物品梱包箱の第２の実施の形態を示す概略斜視図である。
【図３】防水性の容器のキャップに相当する位置に設けた開口部を示す概略図である。
【図４】梱包箱本体部とともに防水性の容器のキャップを外した状態を示す概略斜視図である。
【図５】図４の梱包箱本体部を示すＡ矢視図である。
【図６】図４の梱包箱本体部をＢ−Ｂ面で切断したＣ矢視断面図である。
【図７】従来の梱包箱の箱状部材の１例を示す斜視図である。
【図８】梱包箱の箱状部材内部の梱包箱構成部品を示す斜視図である。
【図９】図８の梱包用部材と被梱包物品を収容してテープ等で固定する状態の梱包箱の外観を示す斜視図である。
【図１０】図７の箱状部材１の展開図である。
【図１１】特許文献１に記載された梱包箱を示す斜視図である。
【図１２】箱状部材の内部に収納される梱包箱の構成部材および被梱包物品である製品を示す分解斜視図である。
【図１３】冷蔵庫用の梱包箱の底部を示す概略斜視図である。
【図１４】図１３の梱包箱の梱包箱本体部を示す概略斜視図である。
【図１５】緩衝バッグを備えた従来の梱包箱の例を示す断面図である。
【図１６】図１５の緩衝バッグが膨張した状態を示す断面図である。
【符号の説明】
Ａ      物品梱包箱
４０    梱包箱本体
５１    被梱包物品（製品、冷蔵庫）
５５ａ  防水性の容器（紙パックまたは樹脂製の容器）
５５ｂ  防水性の容器（紙パックまたは樹脂製の容器）
５５ｃ  防水性の容器（紙パックまたは樹脂製の容器）
５５ｄ  防水性の容器（紙パックまたは樹脂製の容器）
５６ａ  容器収納部材
５６ｂ  容器収納部材
５７    仕切り板
５８ａ  キャップ
５８ｂ  キャップ
５９ａ  蓋
５９ｂ  蓋
６８    ミシン目
７１ａ  開口部（穴）
７１ｂ  開口部（穴）
【図１】
2004315062.tif 000003
【図２】
2004315062.tif 000004
【図３】
2004315062.tif 000005
【図４】
2004315062.tif 000006
【図５】
2004315062.tif 000007
【図６】
2004315062.tif 000008
【図７】
2004315062.tif 000009
【図８】
2004315062.tif 000010
【図９】
2004315062.tif 000011
【図１０】
2004315062.tif 000012
【図１１】
2004315062.tif 000013
【図１２】
2004315062.tif 000014
【図１３】
2004315062.tif 000015
【図１４】
2004315062.tif 000016
【図１５】
2004315062.tif 000017
【図１６】
2004315062.tif 000018